(57)【要約】      （修正有）【課題】洗浄等のメンテナンスが不要であり且つ衛生的である飲用器具を提供する。【解決手段】飲用器具１００では、ペットボトル５１に液体改良装置１０を取り付けたので、ペットボトル５１内の水を飲むとき、内部の水がトルマリン原石を封入した管を通ってマイナスイオン水に変換される。この飲用器具１００によれば、ペットボトル５１に水道水等の通常の水を入れるだけで、これをマイナスイオン水に変換して飲むことができる。また、トルマリン原石は研磨面を有するので、水道水に含まれる不純物が表面に付着しない。【選択図】図３
0003150698.tif 000002
【実用新案登録請求の範囲】
【請求項１】
トルマリン原石又はトルマリンを含む成形体を管内に入れた液体改良装置と、
当該液体改良装置に連通し、ペットボトルその他の容器の口に装着する装着部と、
前記液体改良装置の前記装着部と反対側に設けた蓋を装着する装着部と、
を有することを特徴とする飲用器具。
【請求項２】
前記トルマリン原石又は成形体は、研磨面を有することを特徴とする請求項１に記載の液体改良装置。
【請求項３】
更に、前記管内部分をバイパスするバイパス手段を有し、前記管内とバイパス手段とを切り替える弁を有することを特徴とする請求項１又は２に記載の飲用器具。
【請求項４】
更に、１リットル以下の容量の容器を有することを特徴とする請求項１〜３のいずれか一つに記載の飲用器具。
【請求項５】
更に、０．８リットル以上１リットル以下、又は、その半分若しくは４分の1の容量の容器を有することを特徴とする請求項１〜３のいずれか一つに記載の飲用器具。
【考案の詳細な説明】
【技術分野】
【０００１】
本考案は、通常の水をマイナスイオン水に変換することができる液体改良装置及び飲用器具に関するものである。
【背景技術】
【０００２】
トルマリンを用いて水質改善を行う浄水装置として、従来から特許文献１に記載のものが知られている。この浄水装置は、トルマリン鉱石を含む浄水剤を袋に入れてペットボトルの中に入れた構造である。
【先行技術文献】
【特許文献】
【０００３】
【特許文献１】特開２００２−２３９５６１号公報
【考案の概要】
【考案が解決しようとする課題】
【０００４】
しかしながら、上記従来の浄水装置では、袋に入れたトルマリン鉱石をペットボトル内に入れて用いるため、水道水の不純物が袋やトルマリン鉱石の表面に付着して衛生的ではないという問題点があった。また、トルマリンに接触した水は、トルマリンにより生成されるマイナスイオン水の好ましい１日の摂取量は限られているところ、上記従来の浄水装置では、１日の摂取量が把握しにくいという問題点があった。
【課題を解決するための手段】
【０００５】
本考案の飲用器具は、トルマリン原石又はトルマリンを含む成形体を管内に入れた液体改良装置と、当該液体改良装置に連通し、ペットボトルその他の容器の口に装着する装着部と、前記液体改良装置の前記装着部と反対側に設けた蓋を装着する装着部とを有することを特徴とする。
【０００６】
更に、本考案の飲用器具は、上記考案において、前記トルマリン原石又は成形体は、研磨面を有することを特徴とする。
【０００７】
更に、本考案の飲用器具は、上記考案において、更に、前記管内部分をバイパスするバイパス手段を有し、前記管内とバイパス手段とを切り替える弁を有することを特徴とする。
【０００８】
更に、本考案の飲用器具は、上記考案において、更に、１リットル以下の容量の容器を有することを特徴とする。または、０．８リットル以上１リットル以下、又は、その半分若しくは４分の1の容量の容器を有することを特徴とする。
【図面の簡単な説明】
【０００９】
【図１】この考案の実施の形態１にかかる飲用器具に用いる液体改良装置を示す説明図である。
【図２】別の液体改良装置を示す説明図である。
【図３】この考案の実施の形態１にかかる飲用器具を示す説明図である。
【図４】実施の形態１にかかる飲用器具の変形例を示す説明図である。
【図５】この考案の実施の形態２にかかる飲用器具を示す説明図である。
【考案を実施するための形態】
【００１０】
（実施の形態１）
図１は、この考案の実施の形態１にかかる飲用器具に用いる液体改良装置を示す説明図である。この液体改良装置１０は、プラスチック又は金属製の管２にトルマリン原石３が封入された構造である。封入されたトルマリン原石３は、０．１カラット以上０．３０カラット以下であり、このトルマリン原石３の表面は研磨加工されて滑らかな面となっている。
【００１１】
前記面の加工は、前記大きさの多数のトルマリン原石３をゴム等の弾性体上で保持し、このトルマリン原石３に対して回転する研磨面を押し付け、この工程を当該トルマリン原石３に対して数回にわたって行い、トルマリン原石３の表面に研磨面を形成する。研磨面は、トルマリン原石３よりも硬い（例えばダイヤモンド等）の微細な粒を混合した加工液をバフ又はポリッシュ板に染み込ませたものである。または、ダイヤモンド砥粒を円板上に固定したものである。なお、研磨方法はかかる方法に限定されない。面を滑らかに研磨することにより水道水に含まれる不純物が表面に付着するのを防止できる。このため、半永久的に使用が可能であり、洗浄等のメンテナンスが不要となる。なお、トルマリン原石３の全ての面が研磨面でなくても良い。
【００１２】
前記管２の端部４は、水道管やペットボトルに対して連結可能である。実際には、適用対象となる水道管やペットボトルの標準的な寸法や規格に合わせて、寸法やその形状を決定するものとする。この管２を水道管等に連結することで、水の改質が可能となる。例えば、この液体改良装置１０を水道管に装着した場合、前記管２を通った水道水がトルマリン原石３に接触することで、当該水の中にマイナスイオンが放出され、当該水道水がマイナスイオン水となる。また、放出されたマイナスイオンにより水分子が電気分解されて、水道水の塩素が希釈される。これにより、水道水のカルキ臭が消えて、おいしく且つ安全な水に変換される。
【００１３】
マイナスイオン水の人体に対する効果としては、例えば、次のようなものが挙げられる。
１）腸内の発酵や腐敗の抑制作用。
２）血液循環を高める作用。
３）細胞の活性化と新陳代謝の促進作用。
４）血液の浄化作用。
５）鎮痛、抗菌、消臭作用。
【００１４】
図２は、別の液体改良装置を示す説明図である。この液体改質装置２０は、図１に示した液体改質装置１０と同様にプラスチック又は金属製の管５にトルマリン原石３が封入された構造であり、更に、この管５をバイパスするための２本のバイパス管６が一の端面板７から他の端面板８に渡って設けられている。また、管５の一の端面板７及び他の端面板８には、バイパス管６の開口９とバイパス管６の開口９の間に管５内に水を導く穴１１が２つ設けられている。
【００１５】
前記管５の一の端面板７には、切り替え弁１２が設けられている。この切り替え弁１２は管５の端面に対して回転可能に設けられ且つハンドル１３を回すことで管５に対して回転できる。この切り替え弁１２には２つの穴１４が設けられ、管５への取り付け状態で前記バイパス管６の開口９、又は、水導入用の穴１１に連通するようになる。切り替え弁１２には、水道管やペットボトルに対して装着するための装着管１５が設けられている。管５の他の端面板８に対しても水道管やペットボトルに対して装着するための装着管１６が設けられている。
【００１６】
切り替え弁１２により、装着管１５からの水を管５内に流すか又はバイパス管６に流すか切り替えることができる。当該切り替えは、切り替え弁１２を回転させることで行う。即ち、切り替え弁１２が初期位置にある場合、切り替え弁１２の穴１４は管５の水導入用の穴１１と連通しており、水は装着管１５から切り替え弁１２の穴１４を通り前記水導入用の穴１１から管５内に導かれ、排出用の穴から出される。この過程で、水がマイナスイオン水に変換され、塩素が希釈される。一方、切り替え弁１２を回転させると、切り替え弁１２の穴１４がバイパス管６の開口９と連通し、水は装着管１５から切り替え弁１２の穴１４を通り前記バイパス管６を通って排出される。
【００１７】
この液体改質装置２０によれば、通過する水をマイナスイオン水に変換するか否かをユーザが選択できる。特に、人体に摂取するマイナスイオン水は１日１リットルまでとするのが好ましく、１リットルを超えた場合には切り替え弁１２で通常の水とすることができるので、大変便利である。また、この液体改質装置２０を、キッチン、トイレ、洗面、風呂等の水道管や蛇口等に取り付けることで、マイナスイオン水と通常の水とを使い分けることができる。
【００１８】
図３は、この考案の実施の形態１にかかる飲用器具を示す説明図である。この飲用器具１００は、１Ｌのペットボトル５１の口５２に、上記図１に示した液体改良装置１０を装着した構成である。前記管２の一端にはペットボトル５１の口５２に装着する装着部品５３が取り付けられる。この装着部品５３は、内側にペットボトル５１の口５２に合うネジが形成されている。また、管２の他端には、キャップ（蓋）を装着可能な飲み口５４が設けられている。キャップ５５は、ペットボトル５１に元々装着されているものを使えるようにする。このため、飲み口５４には、ペットボトル５１の口５２と同じ雄ネジが形成されている。水道水をペットボトル５１に入れるときは、キャップ５５を開けて飲み口５４から入れるようにする。これは、水道水をペットボトル５１に入れるときに、まずトルマリン原石３と水道水を触れさせるためである。
【００１９】
この考案の飲用器具１００では、ペットボトル５１内の水を飲むとき、内部の水がトルマリン原石３を封入した管２を通ってマイナスイオン水に変換される。ペットボトル５１内に水を入れるときに当該管２を通して入れた場合は、内部の水は既にマイナスイオン水になっており、飲むときにマイナスイオンが更に水に放出されることになる。このように、この考案の飲用器具１００によれば、ペットボトル５１に水道水等の通常の水を入れるだけで、これをマイナスイオン水に変換して飲むことができる。また、トルマリン原石は研磨面を有するので、水道水に含まれる不純物が表面に付着しない。このため、洗浄等のメンテナンスが不要であり且つ衛生的である。
【００２０】
また、１Ｌのペットボトル５１に液体改良装置１０を取り付けたので、推奨されるマイナスイオン水の摂取量を確実に守ることができる。即ち、ユーザは、１Ｌの容量のペットボトル５１にその日に飲む水道水を入れておくことで、このペットボトル５１内の水がなくなることで、一日の摂取量に達したことを認識できる。更に、ペットボトル５１は市販の飲料に用いているものを使用でき且つキャップ５５には当該市販のペットボトル５１のキャップ５５をそのまま使用できる。このため、液体改良装置１０をペットボトル５１の口５２とキャップ５５との間に装着するだけで、簡単に当該飲用器具１００が成立する。
【００２１】
また、図４に示すように、１Ｌの半分の５００ｍｌの容量のペットボトル５６に対して図３と同様の液体改良装置１０を装着してもよい。この場合、ペットボトル５６を満タンにして全部飲み干すことを２回行えば１Ｌの摂取量に達するので、ユーザは１日の摂取量を簡単に認識できる。なお、図示しないが、２５０ｍｌのペットボトルであれば、ペットボトルを満タンにして全部飲み干すことを４回行えば１Ｌの摂取量に達する。なお、１２５ｍｌのペットボトルだと、８回で１Ｌになるが、ここまで少容量だとユーザが回数をカウントし難いし或いは現時点の回数を忘れてしまうだろうから、ペットボトルの容量は２５０ｍｌ以上とするのが好ましい。
【００２２】
また、一日１Ｌまで摂取できるが、それ以下であれば問題ないため、例えば１日の摂取制限量を８００ｍｌに決めても良い。以上から、１日の適正な摂取量を８００ｍｌ以上１Ｌ以下とすれば、ペットボトルの容量は、８００ｍｌ以上１Ｌ以下又は、その半分若しくは４分の１とするのが好ましい。
【００２３】
（実施の形態２）
図５は、飲用器具の実施の形態２にかかる飲用器具を示す説明図である。この飲用器具２００は、１Ｌ以上のペットボトル５７に対して図２に示す液体改良装置２０を装着した構成である。この飲用器具２００のように、一日の摂取量１Ｌを超える容量のペットボトル５７に装着する液体改良装置２０としては、マイナスイオン水と通常の水とを切り替えることができる上記図２に示すものを用いるのが好ましい。即ち、ペットボトル５７に１Ｌの目盛り５８を設けておき、満タンにしたペットボトル５７の水位が１Ｌの目盛り５８に減るまでは、トルマリン原石３を通して変換したマイナスイオン水を飲用することとし、水位が１Ｌの目盛り５８にきたときは、前記切り替え弁を切り替えてペットボトル５７の水をバイパス管６を通して飲用するようにする。このようにすれば、ユーザは、一日の摂取量である１Ｌを超えずにマイナスイオン水を気軽に摂取できる。
【００２４】
なお、上記ペットボトル５１，５６，５７ではなく、専用の容器を用いても良い。また、水筒、瓶等に用いても良い。専用の容器や水筒、瓶は、前記同様の理由により、その容量は８００ｍｌ以上１Ｌ以下又は、その半分若しくは４分の１とするのが好ましい。
【００２５】
また、上記実施の形態１，２では、トルマリン原石を研磨したものを用いたが、トルマリン原石の微粉末を固化または焼成したボール状又はサイコロ状の成形体を用いることもできる。この成形体の表面は研磨するようにするのが好ましい。
【符号の説明】
【００２６】
１０  液体改良装置
２  管
３  トルマリン原石
１００  飲用器具
５１  ペットボトル
５３  装着部品
５４  飲み口
【図１】
0003150698.tif 000003
【図２】
0003150698.tif 000004
【図３】
0003150698.tif 000005
【図４】
0003150698.tif 000006
【図５】
0003150698.tif 000007